(57)【要約】【課題】遮光部材と減光部材が組み込まれる従来の光学装置を更に小型化して、該光学装置が搭載されるカメラ等の撮像装置の小型化に寄与することができる光学装置を提供する。【解決手段】光学装置であるシャッタ・フィルタユニット１６は、駆動源本体が直列結合されたシャッタアクチュエータ２７，フィルタアクチュエータ２８と、シャッタ駆動リング３２と、２枚のシャッタ羽根３３，３４と、１枚のＮＤフィルタ３６とを有しており、シャッタ羽根３３，３４は、シャッタ駆動リング３２を介してシャッタアクチュエータ２７により開閉回動駆動され、ＮＤフィルタ３６は、フィルタアクチュエータ２８により直接進退回動駆動される。上記シャッタ羽根３３とＮＤフィルタ３６とは、共通の羽根支持ピン３１ｃに支持され、それぞれが回動駆動される。【選択図】    図５
2004170551.tif 000002
【特許請求の範囲】
【請求項１】
光路上を通過する通過光束を遮蔽する遮光部材と、
上記遮光部材を上記光路に対して進退移動させる第１の駆動手段と、
上記光路を通過する通過光束の光量を減少させる減光部材と、
上記減光部材を上記光路に対して進退移動させる第２の駆動手段と、
備えており、上記第２の駆動手段は、上記第１の駆動手段の上に積み重ねるように配置されたことを特徴とする光学装置。
【請求項２】
上記第２の駆動手段は、上記第１の駆動手段に対して上記光路の光軸方向に積み重ねて配置され、上記減光部材および遮光部材は、上記第２の駆動手段よりも上記第１駆動手段に近い側に配置されたことを特徴とする請求項１記載の光学装置。
【請求項３】
上記第２の駆動手段の上記減光部材を回動駆動させる回動の中心軸が、上記第１の駆動手段の上記遮光部材を回動駆動させる回動の中心軸と同軸上になるように、上記第２の駆動手段が配置されたことを特徴とする請求項１、または、２記載の光学装置。
【請求項４】
上記減光部材と上記遮光部材とを共通して回動可能に支持する少なくとも１つ回動軸を備えたことを特徴とする請求項１乃至３記載の光学装置。
【請求項５】
移動可能なレンズを備えたレンズ装置内に配置され、通過光の遮蔽および減光を行なわせる光学装置において、
通過光を遮蔽する遮光部材と、
上記遮蔽部材を光路に対して進退移動させる第１の駆動手段と、
上記通過光を減少させる減光部材と、
上記減光部材を光路に対して進退移動させるものであって、上記第１の駆動手段に積層するように一体化された第２の駆動手段と、
光通過のための開口が設けられ、上記遮光部材および減光部材を上記開口に対して進退移動するように支持し、一体化された上記第１の駆動手段および上記第２の駆動手段をその積層方向が上記光路の光軸に平行になるように上記開口の側部に配置したケース部材と、
を備えており、上記レンズを光軸方向に移動可能に支持する軸の１つが上記開口の側部で、且つ、上記一体化された第１の駆動手段および第２の駆動手段の近傍を挿通するように上記レンズ装置内に配置されていることを特徴とする光学装置。
【請求項６】
カメラであって、請求項１乃至５に記載の光学装置を備えていることを特徴とするカメラ。
【発明の詳細な説明】
【０００１】
【発明の属する技術分野】
本発明は、減光装置と遮光装置とが組み込まれた光学装置、および、上記光学装置を備えたカメラの構造に関する。
【０００２】
【従来の技術】
従来、デジタルカメラ等の撮像装置の光学系において、その光学系内部にＮＤフィルタ呼ばれる減光フィルタ（減光部材）を挿設したものがある。上記ＮＤフィルタを使用するのは、以下の理由による。すなわち、電子映像撮影装置ではＣＣＤ等の撮像素子を使用されるが、上記撮像素子の撮像面積が従来の銀塩カメラのフィルム面積に比べてかなり小さい。したがって、相対的に絞り開口も小さくしなければならないが、光の回折による制限から上記絞り開口は、解像度が悪化させないために一定以下にはできない。そこで、屋外の明るい被写体の撮影場面で露光量を相当に絞る必要がある場合には、機械的な開口絞りに加えて、さらに、上記ＮＤフィルタを追加して挿入し、全体として露光量を少なくするようにしている。
【０００３】
特許文献１に記載されたレンズ鏡筒に組み込まれる光量調整装置（光学装置）は、撮影開口に対して回動によって進入退避する２枚の絞り羽根（遮光部材）、および、ＮＤフィルタ（減光部材）とを有しており、上記２枚の羽根とＮＤフィルタは、上記撮影開口を挟んだ対向位置に配置される２つアクチュエータによって異なる回動軸を中心にして回動駆動される構造を有している。
【０００４】
また、特許文献２に記載される撮影レンズ用の絞り装置（光学装置）は、撮影開口に対してスライド移動によって進入退避する２枚の絞り羽根（遮光部材）およびＮＤフィルタ（減光部材）とを有しており、上記２枚の羽根とＮＤフィルタは、撮影時に撮影開口を挟んで配置される２のアクチュエータによってスライド駆動される。
【０００５】
【特許文献１】
上記特許文献１は、特許公開公報２０００−３１０８０３号公報である。
【０００６】
【特許文献２】
上記特許文献２は、特許公開公報２０００−１２２１０９号公報である。
【０００７】
【発明が解決しようとする課題】
上述した従来のデジタルカメラ等の光量調整装置（光学装置）で上述の特許文献１，２に公開されたものは、いずれも絞り羽根駆動用のアクチュエータとＮＤフィルタ駆動用のアクチュエータとが撮影開口を挟んで配置されており、上記絞り羽根と上記ＮＤフィルタとは、別々の軸に、回動自在、または、スライド自在に支持されている。したがって、光学装置の周囲に２つのアクチュエータの配置スペ−スを必要とし、光学装置の占有スペ−スが大きくなってしまい、撮影光学ユニット全体を小さくまとめるには、大きな障害となる。そして、上記撮影光学ユニットを搭載するデジタルカメラ等のコンパクト化という要求に応えることが難しかつた。
【０００８】
本発明は、上述した問題に鑑みてなされたものであり、遮光部材と減光部材が組み込まれる従来の光学装置を更に小型化して、該光学装置が搭載されるカメラ等の撮像装置の小型化に寄与することができる光学装置、および、上記光学装置を搭載したカメラを提供することを目的とする。
【０００９】
【課題を解決するための手段】
本発明の請求項１記載の光学装置は、光路上を通過する通過光束を遮蔽する遮光部材と、上記遮光部材を上記光路に対して進退移動させる第１の駆動手段と、上記光路を通過する通過光束の光量を減少させる減光部材と、上記減光部材を上記光路に対して進退移動させる第２の駆動手段と備えており、上記第２の駆動手段は、上記第１の駆動手段の上に積み重ねるように配置される。
【００１０】
本発明の請求項２記載の光学装置は、請求項１記載の光学装置において、上記第２の駆動手段は、上記第１の駆動手段に対して上記光路の光軸方向に積み重ねて配置され、さらに、上記減光部材および遮光部材は、上記第２の駆動手段よりも上記第１駆動手段に近い側に配置されている。
【００１１】
本発明の請求項３記載の光学装置は、請求項１、または、２記載の光学装置において、上記第２の駆動手段の上記減光部材を回動駆動させる回動の中心軸が、上記第１の駆動手段の上記遮光部材を回動駆動させる回動の中心軸と同軸上になるように、上記第２の駆動手段が配置されている。
【００１２】
《  １２  》
本発明の請求項４記載の光学装置は、請求項１乃至３記載の光学装置において、上記減光部材と上記遮光部材とを共通して回動可能に支持する少なくとも１つ回動軸を備えている。
【００１３】
本発明の請求項５記載の光学装置は、移動可能なレンズを備えたレンズ装置内に配置され、通過光の遮蔽および減光を行なわせる光学装置において、通過光を遮蔽する遮光部材と、上記遮蔽部材を光路に対して進退移動させる第１の駆動手段と、上記通過光を減少させる減光部材と、上記減光部材を光路に対して進退移動させるものであって、上記第１の駆動手段に積層するように一体化された第２の駆動手段と、光通過のための開口を有し、上記遮光部材および減光部材を上記開口に対して進退移動するように支持し、一体化された上記第１の駆動手段および第２の駆動手段をその積層方向が上記光路の光軸に平行になるように上記開口の側部に配置したケース部材とを備えており、上記レンズを光軸方向に移動可能に支持する軸の１つがが、上記開口の側部で、且つ、上記一体化された第１の駆動手段および第２の駆動手段の近傍を挿通するように上記レンズ装置内に配置されている。
【００１４】
本発明の請求項６記載のカメラは、請求項１乃至５に記載の光学装置を備えていることを特徴とするカメラ。
【００１５】
【発明の実施の形態】
以下、本発明の実施の形態を図に基づいて説明する。
図１は、本発明の光学装置のシャッタ・フィルタユニットを適用するカメラ（デジタルカメラ）の外観図であり、図２は、上記カメラの内部配置を示す斜視図である。図３は、上記カメラに内蔵される鏡筒ユニットの構成を示す斜視図である。図４は、上記鏡筒ユニットのレンズ装置部の斜視図である。
【００１６】
なお、以下の配置の説明において左右方向は、カメラを被写体側からみたときの方向で示す。また、上下方向は、後述する上方鏡枠１１側であって後述する光軸Ｏ２  の入射側を上方側とし、結像側、すなわち、ＣＣＤユニット２１側を下方側とする。さらに、光学装置の各部材の回動方向は、上方側からみた回動方向で示すものとする。
【００１７】
本発明の一実施形態であるカメラ１は、カメラ外装カバー２を有し、外装カバー２には、その前面部に光軸Ｏ方向の被写体光束を取り込むための撮影窓３とストロボ光を照射するためのストロボ窓４とが配置され、上面部に撮影開始を指示するためのレリーズ釦５が配置されている。
【００１８】
上記カメラ１には、図２に示すようにカメラ外装カバー２内部にレンズ鏡筒である鏡筒ユニット６と、上記鏡筒ユニット６の左方に配置され、ＣＰＵを含むカメラのメイン制御回路，メディアスロット等が実装される複数の電気基板７と、上記電気基板７の左下部に配置される電源用電池８等が主に収納されている。
【００１９】
上記鏡筒ユニット６は、上方鏡枠１１に組み付けられる折り曲げ光学系のパワープリズム１３と、下方鏡枠１２に組み付けられる移動可能なレンズを備えたレンズ装置部２０，下方端部に装着されるＣＣＤユニット２１，上下に装着されるステッピングモータであるレンズ駆動モータ２５，２６とを有してなる。
【００２０】
上記パワープリズム１３は、被写体側から入射する第１の光軸Ｏ１  に沿った被写体光束を下方に向けて第２の光軸Ｏ２  方向に９０°屈折させ、上記レンズ装置部２０のレンズ光学系に射出する。
【００２１】
上記レンズ装置部２０は、図３，４に示すように下方鏡枠１２に光軸Ｏ２  の左右両サイドに平行な状態で固定支持される２本のガイド軸１９Ａ，Ｂと、上記ガイド軸１９Ａ，Ｂに摺動自在に支持され、ズームレンズ１４を保持するズーム枠１５、および、フォーカスレンズ１７を保持するフォーカス枠１８と、ズーム枠１５とフォーカス枠１８の間の位置にて下方鏡枠１２にユニットベース部を固定した状態で支持される光学装置としてのシャッタ・フィルタユニット１６とを有してなる。
【００２２】
上記レンズ駆動モータ２５，２６は、下方鏡枠１２の上下位置に装着される２台のステッピングモータであって、それぞれリードネジ（図示せず）を有しており、その２本のリードネジは、下方鏡枠１２に光軸Ｏ２  に平行状態で回転可能に支持される。レンズ駆動モータ２５，２６は、それぞれズーミング，フォーカシング時に制御回路部に指示にしたがって回転駆動される。
【００２３】
上記ズーム枠１５とフォーカス枠１８とは、それらの切り欠きに摺動自在に嵌入するガイド軸１９Ｂによって回転規制された状態でガイド軸１９Ａに摺動自在に嵌入して支持される。そして、ズーム枠１５には上記リードネジに螺合するナットに係合する係合部材４１が取り付けられており、該ズーム枠１５は、ズーミング時、上記リードネジの回転により上記係合部材４１を介して光軸Ｏ２  に沿って進退駆動される。また、上記フォーカス枠１８には上記リードネジに螺合するナット４２が取り付けられており、該フォーカス枠１８は、フォーカシングおよびズーミング時に上記リードネジの回転により上記ナット４２を介して光軸Ｏ２  に沿って進退駆動される。
【００２４】
上記ＣＣＤユニット２１は、図３に示すように光学フィルタ２２と、撮像素子であるＣＣＤ２３とＣＣＤ基板２４からなり、下方鏡枠１２の光軸Ｏ２  上の下方位置に固定支持される。
【００２５】
次に、上記レンズ装置部２０に組み込まれるシャッタ・フィルタユニット１６の詳細な構成について、図５，６を用いて説明する。
図５は、上記シャッタ・フィルタユニットの分解斜視図である。図６は、上記シャッタ・フィルタユニットの縦断面図である。
【００２６】
上記シャッタ・フィルタユニット１６は、図５に示すようにケース部材であるユニットベース３１と、羽根駆動リング３２と、遮光部材である２枚のシャッタ羽根３３，３４と、スペーサ３５と、減光部材であるＮＤフィルタ３６と、ユニットカバー３７と、第１の駆動手段であるロータリーソレノイドタイプのシャッタアクチュエータ２７および第２の駆動手段であるロータリーソレノイドタイプのフィルタアクチュエータ２８とを有してなる。
【００２７】
上記ユニットベース３１には、光軸Ｏ２  中心の位置に該光軸入射側の第１平面部３１ｋ上に配置される嵌合開口３１ｂと、同じく第１平面部３１ｋ上に配置される長穴３１ｅ，３１ｆ、および、ビス挿通穴３１ｑと、第１平面部３１ｋより所定寸法高い第２平面部３１ｍ上に対向して配置される２本の回動軸である段付き羽根支持ピン３１ｃ，３１ｄと、上記第２平面３１ｍより所定寸法高い第３平面３１ｎと、上記第３平面３１ｎよりさらに所定寸法高い第４平面３１ｐとが設けられている。
【００２８】
上記シャッタアクチュエータ２７とフィルタアクチュエータ２８とは、それぞれオンオフ回動位置に回動駆動される回動の中心軸である回動軸２７ａ，２８ａを有しており、該回動軸２７ａ，２８ａが同軸心に沿った状態で上記アクチュエータの本体ケース２７ｂ，２８ｂが光軸Ｏ方向沿って積み重ね状態で一体化されている。そして、上記本体ケース２７ｂ，２８ｂは、上記ユニットベース３１に対して光軸Ｏ２  の左側方位置にビス挿通穴３１ｑを挿通したビス３８によって本体ケース２７ｂのビス穴２７ｐに螺着され、取り付けられる。なお、上記本体ケース２７ｂ，２８ｂの位置は、上記ガイド軸１９Ｂの近傍に位置することになる。
【００２９】
上記アクチュエータ２７，２８の取り付け状態では、上記回動軸２７ａ，２８ａが光軸Ｏ２  に平行に保持され、シャッタアクチュエータ２７側が上方側に、フィルタアクチュエータ２８が下方側に位置する。すなわち、シャッタアクチュエータ２７側がシャッタ羽根３３，３４やＮＤフィルタ３６の位置により近い側に配置されている。また、上記アクチュエータ２７，２８の取り付け位置は、レンズ装置２０のレンズ保持枠であるズーム枠１５，フォーカス枠１８のガイド軸１９Ｂの近傍で、且つ、該ガイド軸１９Ｂに沿った状態で配置される。
【００３０】
上記シャッタアクチュエータ２７の回動軸２７ａには、側方に突出する羽根駆動アーム４１が固着されている。上記羽根駆動アーム４１の先端には、光軸Ｏ２  方向に沿った羽根駆動ピン４１ｅが設けられており、該羽根駆動ピン４１ｅは、ユニットベース３１の長穴３１ｅを挿通して上側に突出している。
【００３１】
また、フィルタアクチュエータ２８の回動軸２８ａには、側方に突出するＮＤ駆動アーム４２が固着されている。上記ＮＤ駆動アーム４２には、光軸Ｏ２  方向に沿ったＮＤ駆動ピン４２ｆが固着されており、該ＮＤ駆動ピン４２ｆは、ユニットベース３１の長穴３１ｆ、さらに、スペーサ３５の長穴３５ｆを挿通してその上側に突出している。
【００３２】
上記羽根駆動リング３２には、中央部に配置されるリング開口３２ａと、リング開口３２ａの下部に上記嵌合開口３１ｂに対して回動自在に嵌入する嵌合突部３２ｂと、半径方向の突出部に配置される長穴３２ｅと、リング開口３２ａを中心して対向して配置される羽根駆動ピン３２ｇ，３２ｈとが設けられている。この羽根駆動リング３２は、ユニットベース３１の嵌合開口３１ｂに嵌合突部３２ｂを回動自在に嵌入させ、ユニットベース３１の第１平面部３１ｋ上に摺接した状態で取り付けられる。そして、羽根駆動リング３２の長穴３２ｅには、シャッタアクチュエータ２７の羽根駆動ピン４１ｅが摺動，回動自在に嵌入する。なお、上記リング開口３２ａは、後述するスペーサ３５の絞り開口３５ａよりわずかに大きいものとする。
【００３３】
上記シャッタ羽根３３，３４は、リング開口３２ａを回動により開閉可能なＵ字形状を有しており、それぞれにピン穴３３ｃ，３４ｄと、長穴３３ｇ，３４ｈとが設けられる。このシャッタ羽根３３，３４は、光軸Ｏ２  を中心にして対向し、且つ、光軸Ｏ２  方向に一部が重なった状態で羽根駆動リング３２上に載せた状態とする。そして、ユニットベース３１の羽根支持ピン３１ｄ，３１ｃにそれぞれのピン穴３３ｃ，３４ｄを回動自在に嵌入させ、且つ、上記羽根駆動リング３２の羽根駆動ピン３２ｇ，３２ｈに長穴３３ｇ，３４ｈを回動，摺動自在に嵌入させて取り付け状態とする。
【００３４】
上記スペーサ３５には、光軸Ｏ２  上の絞り開口３５ａと、ピン穴３５ｃ，３５ｄと、長穴３５ｆと、長穴３５ｇ，３５ｈとが設けられる。このスペーサ３５は、シャッタ羽根３４上側であって、ユニットベース３１の第３平面３１ｎ上に載せた状態で羽根支持ピン３１ｃ，３１ｄを上記ピン穴３５ｃ，３５ｄに挿通させて位置決めして取り付けられる。この取り付け状態では、上記長穴３５ｆにはＮＤ駆動ピン４２ｆが挿通しており、上記長穴３５ｇ，３５ｈは、羽根駆動ピン３２ｇ，３２ｈの逃げ穴となっている。このスペーサ３５の装着によりシャッタ羽根３４，３３の光軸Ｏ２  方向の回動隙間が確保され、且つ、シャッタ羽根３４，３３とＮＤフィルタ３６が分離され、干渉することなくそれぞれが独立して回動可能に支持される。
【００３５】
上記ＮＤフィルタ３６は、進入退避回動により絞り開口３５ａを覆う状態と絞り開口３５ａから退避することが可能な形状を有しており、ピン穴３６ｃと、長穴３６ｆと、羽根駆動ピン３２ｇの逃げ用切り欠き３６ｇが設けられる。このＮＤフィルタ３６は、スペーサ３５上にてユニットベース３１の羽根支持ピン３１ｃに上記ピン穴３６ｃを回動自在に嵌入させ、且つ、フィルタアクチュエータ２８のＮＤ駆動ピン４２ｆに上記長穴３６ｆを回動，摺動自在に嵌入させて取り付けられる。
【００３６】
ユニットカバー３７には、光軸Ｏ２  上の開口３７ａと、ピン穴３７ｃ，３７ｄと、長穴３７ｆと、立ち曲げ部に２つの係止穴３７ｉ，３７ｊとが設けられている。このユニットカバー３７は、ＮＤフィルタ３６上方側にてＮＤ駆動ピン４２ｆを上記長穴３７ｆに挿通させ、さらに、上記ピン穴３７ｃ，３７ｄに挿通させて光軸Ｏ２  方向および光軸Ｏ２  直交方向を位置決めし、ユニットベース３１の第４平面３１ｐ上に載せる。上記の状態でユニットカバー３７の係止穴３７ｉ，３７ｊをユニットベース３１の係止突起３１ｉ，３１ｊにそれぞれ係合させてユニットカバー３７が装着される。
【００３７】
上述したように組み付けられた上記シャッタ・フィルタユニット１６においては、ユニットカバー３７とスペ−サ３５とユニットベース３１の間にてＮＤフィルタ３６，シャッタ羽根３４，３３がそれぞれ回動可能な状態で保持される。
なお、上記シャッタ・フィルタユニット１６は、上記ユニットベース３１の投影面積内に収まって配置されることから、光軸Ｏ２  直交面上の占有エリアがユニットベース３１で与えられる。
【００３８】
上述した構成を有するシャッタ・フィルタユニット１６のシャッタ羽根の開閉動作、および、ＮＤフィルタの進入退避動作について、図７（Ａ），（Ｂ）、および、図８（Ａ），（Ｂ）を用いて説明する。
なお、図７（Ａ），（Ｂ）は、上記シャッタ・フィルタユニットにおけるシャッタ部の開閉動作状態を示す光軸Ｏ２  入射側（上方側）から見た平面図であって、図７（Ａ）は、シャッタ開状態を示し、図７（Ｂ）は、シャッタ閉状態を示す。図８（Ａ），（Ｂ）は、上記シャッタ・フィルタユニットにおけるＮＤフィルタ部の減光動作状態を示す光軸Ｏ２  入射側（上方側）から見た平面図であって、図８（Ａ）は、非減光状態を示し、図８（Ｂ）は、減光状態を示す。
【００３９】
通常の状態であるシャッタ開放状態では、図７（Ａ）に示すようにシャッタアクチュエータ２７がオフ状態にあり、羽根駆動アーム４１が反時計回りに回動しており、羽根駆動ピン４１ｅを介して羽根駆動リング３２が光軸Ｏ２  中心に時計回りに回動されており、シャッタ羽根３３，３４は、それぞれ羽根駆動ピン３２ｇ，３２ｈによりユニットベース３１の羽根支持ピン３１ｃ，３１ｄ中心に開放方向に回動駆動され、リング開口３２ａから退避した開放回動位置にある。
【００４０】
撮影終了直後、シャッタアクチュエータ２７がオンされ、羽根駆動アーム４１が時計回りに回動されると、図７（Ｂ）に示すように羽根駆動ピン４１ｅを介して羽根駆動リング３２が光軸Ｏ２  中心に反時計回りに回動され、シャッタ羽根３３，３４は、それぞれ羽根駆動ピン３２ｇ，３２ｈにより羽根支持ピン３１ｃ，３１ｄ中心に閉方向に回動駆動され、リング開口３２ａを覆うシャッタ閉状態となる。
【００４１】
一方、ＮＤフィルタ開放状態では、図８（Ａ）に示すようにフィルタアクチュエータ２８がオフ状態にあり、ＮＤ駆動アーム４２が時計回りに回動しており、ＮＤ駆動ピン４２ｆを介してＮＤフィルタ３６は、羽根支持ピン３１ｃ中心に反時計回りに回動され、スペーサ３５の絞り開口３５ａから退避した開放回動位置にある。この状態では非減光状態にあり、被写体光束の全光束は、このＮＤフィルタ部を透過する。
【００４２】
フィルタアクチュエータ２８がオンされ、ＮＤ駆動アーム４２が反時計回りに回動されると、図８（Ｂ）に示すようにＮＤ駆動ピン４２ｆを介してＮＤフィルタ３６は、羽根支持ピン３１ｃ中心に時計回りに回動され、絞り開口３５ａを覆う減光回動位置に移動する。この状態は減光状態であり、被写体光束は、このＮＤフィルタを透過することにより所定の割合で減光されて透過する。
【００４３】
上述した本実施形態のカメラ１において撮影を実行する場合、まず、ズーム枠１５を光軸Ｏ２  方向に進退駆動してレンズ装置２０のズーム状態を所望の状態にセットする。上記ズーミング時、フォーカス枠１８も対応位置に移動する。そして、撮影に先立って被写体輝度が測定される。その被写体輝度が所定値以上であったとき、ＮＤフィルタ３６が絞り開口３５ａを覆う位置に回動駆動され、図８（Ｂ）に示す減光状態とする。また、被写体輝度が所定値以下であったとき、ＮＤフィルタ３６は、絞り開口３５ａから退避した位置に保持され、図８（Ａ）に示す非減光状態とする。なお、シャッタ羽根３３，３４は、リング開口３２ａから退避した開放位置に保持されている。
【００４４】
続いて、レリーズ釦５の押圧操作に応じてフォーカス枠１８が進退駆動され、フォーカシングされると、上記減光状態、または、非減光状態の被写体光束がＣＣＤ２３の結像面に結像する。ＣＣＤ２３により被写体像が電気的撮像信号に変換される。所定時間経過後、シャッタ羽根３３，３４は、図７（Ｂ）に示すリング開口３５ａを覆う閉位置に回動駆動され、ＣＣＤ２３への被写体光束がカットされる。
【００４５】
上記電気的撮像信号は、上記ＣＰＵによるの制御のもとでデジタル画像信号に変換されてメモリに記録され、撮影が終了する。
【００４６】
上述した本実施形態のカメラ１の光学装置であるレンズ装置２０によれば、シャッタアクチュエータ２７とフィルタアクチュエータ２８とが折り曲げ光学系の光軸Ｏ２  と平行な方向に沿った状態で積み重ねられ、その配置位置を絞り開口３５ａの側方であって、ズーム枠１５，フォーカス枠１８のガイド軸１９Ｂの近傍としたことから、上記アクチュエータの占有スペースを小さくするとともに、上記レンズ装置２０における光軸Ｏ２  直交面に対する配置効率をアップさせることができ、コンパクト化が実現できる。
【００４７】
さらに、フィルタアクチュエータ２８に対してシャッタアクチュエータ２７をシャッタ羽根３３，３４やＮＤフィルタ３６により近い側に配置することにより、羽根駆動ピン４１ｅを短くすることが可能となり、高速性が要求されるシャッタ羽根３３，３４をより高速に開閉することが可能になる。
【００４８】
また、シャッタ羽根３３の回動軸となるユニットベース３１の羽根支持ピン３１ｃをＮＤフィルタ３６の駆動軸としても共用し、シャッタ羽根３３とＮＤフィルタ３６とを略同一エリア上で回動移動させるようにしてシャッタ・フィルタユニット１６をユニットベース３１の光軸Ｏ２  直交面における投影面積内に収まった配置を可能としている。特にズーム機能を有するレンズ装置において必要なズーム，フォーカス光学系用ズーム枠１５、および、フォーカス枠１８の占有投影面積に対して、上記シャッタ・フィルタユニット１６の占有投影面積を略同一にすることが可能になり、上述した記アクチュエータの配置効率のアップと相まって、レンズ装置１６をコンパクト化、ひいては、ズームカメラの小型化が実現できる。
【００４９】
なお、上述した実施の形態は、デジタルカメラの例で説明したが、本発明による光学装置は、携帯電話やＰＤＡに内蔵されるカメラ部に適用してもよく、上記搭載された携帯電話やＰＤＡの小型化を図ることができる。
【００５０】
上述のように本発明の第１の光学装置によれば、第１，第２の駆動手段を積み重ねて配置したので、従来の光学装置のように分散して配置するのに比べて、高密度に実装でき光学装置の小型化が実現できる。
【００５１】
本発明の第２の光学装置によれば、上記第１の光学装置の効果に加えて、さらに、第１，２の駆動手段の光軸に垂直な投影面積を小さくできるため、搭載される光学装置の径方向サイズの小型化に寄与できる。
【００５２】
本発明の第３の光学装置によれば、上記第１、または、第２の光学装置の効果に加えて、さらに、第１の駆動手段を第２の駆動手段よりも減光部材や遮光部材の配置位置に近い側に配置することにより遮光部材の開閉速度の高速化を可能にする。
【００５３】
本発明の第４の光学装置によれば、第１乃至第３の光学装置の効果に加えて、さらに、減光部材と遮光部材の少なくとも１つの回動軸を共通化することにより光学装置のさらなる小型化が実現できる。
【００５４】
本発明の第５の光学装置によれば、第１の駆動手段と第２の駆動手段が積層された状態で、且つ、レンズの光軸方向ガイドのための軸の近傍に配置されることから光学装置のコンパクト化が実現できる。
【００５５】
本発明の第６のカメラによれば、上記第１乃至第５の光学装置を内蔵することから、上述した請求項１乃至５記載の光学装置の効果を奏し、且つ、カメラの小型化が実現できる。
【００５６】
【発明の効果】
本発明の光学装置は、遮光部材と減光部材を駆動する駆動手段を効率よく配置したのでコンパクト化が実現できる。
【図面の簡単な説明】
【図１】本発明の一実施形態である光学装置のシャッタ・フィルタユニットを適用するカメラの外観図である。
【図２】上記図１のカメラの内部配置を示す斜視図である。
【図３】上記図１のカメラに内蔵されるレンズ鏡筒の構成を示す斜視図である。
【図４】上記図３のレンズ鏡筒を構成するレンズ装置部の斜視図である。
【図５】上記図４のレンズ装置部に組み込まれるシャッタ・フィルタユニットの分解斜視図である。
【図６】上記図５のシャッタ・フィルタユニットの縦断面図である。
【図７】上記図５のシャッタ・フィルタユニットにおけるシャッタ部の開閉動作状態を示す光軸入射側から見た平面図であって、図７（Ａ）は、シャッタ開状態を示し、図７（Ｂ）は、シャッタ閉状態を示す。
【図８】上記図５のシャッタ・フィルタユニットにおけるＮＤフィルタ部の減光動作状態を示す光軸入射側から見た平面図であって、図８（Ａ）は、非減光状態を示し、図８（Ｂ）は、減光状態を示す。
【符号の説明】
１４  …ズームレンズ（レンズ）
１７  …フォーカスレンズ（レンズ）
２０  …レンズ装置部（レンズ装置）
２７  …シャッタアクチュエータ
（第１の駆動手段）
２７ａ…出力回動軸（第１の駆動手段の回動軸）
２８  …フィルタアクチュエータ
（第２の駆動手段）
２８ａ…出力回動軸（第２の駆動手段の回動軸）
３１  …ユニットベース（ケース部材）
３１ａ…リング開口（開口）
３１ｃ…羽根支持ピン
（遮光部材または減光部材を
回動可能に支持する回動軸）
３３，３４
…シャッタ羽根（遮光部材）
３５ａ…絞り開口（開口）
３６  …ＮＤフィルタ（減光部材）
Ｏ２    …光軸
【図１】
2004170551.tif 000003
【図２】
2004170551.tif 000004
【図３】
2004170551.tif 000005
【図４】
2004170551.tif 000006
【図５】
2004170551.tif 000007
【図６】
2004170551.tif 000008
【図７】
2004170551.tif 000009
【図８】
2004170551.tif 000010